(57)【特許請求の範囲】
【請求項１】
内部に電池を収容可能なホルダ部材であって、一端が開口され、他端部内に電池で駆動される出力手段が設けられたホルダ部材と、
前記ホルダ部材の一端開口部を閉鎖する有底円筒状のキャップ部材であって、奥端面の中央部に突出部が形成されたキャップ部材と、
前記キャップ部材に取付けられたキャップ側接触片であって、突出部に外嵌合可能な嵌合孔を有する円板状の着座部と、着座部の略中央部に突出状に形成され電池の一方の電極に当接可能な接触部とを有するキャップ側接触片と、
前記ホルダ部材の内壁面に沿って軸方向向きに設けられ、一端がホルダ部材の一端部付近に配置され、他端が出力手段の一方の端子に電気的に接続され、ホルダ部材にキャップ部材を取付けた状態で、一端が着座部に当接するホルダ側接触片と、
一端が出力手段の他方の端子に直接固定されて電気的に接続され、他端が電池の他方の電極に当接可能に配置され、ホルダ部材にキャップ部材を取付けた状態で、電池の他方の電極に圧接されるとともに、電池の一方の電極をキャップ側接触片の接触部に圧接させるスプリング端子と、
を備えたことを特徴とする電池ホルダ。
【請求項２】
前記突出部をキャップ部材の奥端面の中央部に形成し、前記着座部の中央部に嵌合孔を形成して着座部を環状に形成し、前記嵌合孔を横断するように接触部を形成して、キャップ側接触片をキャップ部材に組付けた状態で、突出部の先端の前側に接触部が延設されるように構成したことを特徴とする請求項１に記載の電池ホルダ。
【請求項３】
前記着座部の嵌合孔に臨む部分に、中心側へ向けて突出して突出部に係合する係合突部を形成したことを特徴とする請求項１又は２に記載の電池ホルダ。
【請求項４】
前記突出部の先端の前側を跨いで接触部を設け、接触部の両側へ露出した突出部の一部を溶かして形成した偏平部を介して、キャップ側接触片をキャップ部材に固定したことを特徴とする請求項２に記載の電池ホルダ。
【発明の詳細な説明】
【０００１】
【産業上の利用分野】
本発明は、携帯用の電動ブラシや電動歯間ブラシ或いは懐中電灯などに好適な電池ホルダに関する。
【０００２】
【従来の技術】
従来、電動歯ブラシや電動歯間清掃ブラシなどの口腔内衛生装置として、電池により回転駆動される電動モータの回転力を利用して、歯ブラシを前後移動させたり、振動させたりするタイプの携帯用の口腔内衛生装置が各種提案され実用化されている。
前記口腔内衛生装置としては、内部に電池を収容可能なホルダ部材であって、一端が開口され、他端部内に電池で駆動される電動モータが収容されたホルダ部材と、ホルダ部材の一端開口部を閉鎖する有底円筒状のキャップ部材と、キャップ部材内に固定されたスプリング端子と、電動モータの後端部の軸受部を囲繞するカップ状接触片であって、電動モータの一方の端子に接続されたカップ状接触片と、一端が電動モータの他方の端子に接続され、他端がホルダ部材の一端開口部までホルダ部材の内壁面に沿って延設されたホルダ側接触片と、一端がスプリング端子に接続され、キャップ部材をホルダ部材に取付けた状態で、ホルダ側接触片に電気的に接続されるキャップ側接触片とを備え、電池の両電極をカップ状接触片とスプリング端子とに夫々圧接させて電動モータへ給電するタイプのものが広く採用されている。
【０００３】
ところで、前記キャップ部材に対してスプリング端子を固定する場合、キャップ部材の奥端面に複数の爪部等を形成して、爪部を介してスプリング端子の基端部をキャップ部材の奥端面に固定することも考えられるが、有底円筒状のキャップに対するスプリング端子の固定が煩雑であること、ホルダ側接触片を直接的にスプリング端子に接続することが困難なことなどから、通常は、導電性を有する円板状の固定部材を設け、この固定部材に例えば３つの爪部を切り起こして形成し、これら３つの爪部でスプリング端子の基端部を保持させて固定し、固定部材に固定されたスプリング端子を固定部材とともにキャップ部材内に組込むとともに、ホルダ側接触片の一端部を固定部材の端面の外周部に当接させて、スプリング端子とホルダ側接触片とを電気的に接続する構成が採られている。
【０００４】
【発明が解決しようとする課題】
ところが、前記のように、スプリング端子をキャップ部材に固定するための固定部材を別途設けると、部品点数が増えるとともに、スプリング端子を固定部材に固定するための作業が必要となり、口腔内衛生装置の製作コストが高くなること、固定部材をキャップ部材に固定するため、キャップ部材の奥端面に爪部等を形成する必要があり、キャップ部材を成形するための金型構造が複雑になること、などの問題が発生する。
本考案の目的は、出力手段に対する給電用の配線手段の部品点数を低減するとともに組付性を大幅に向上し且つキャップ部材を成形するための金型構造を簡単化し得る電池ホルダを提供することである。
【０００５】
【課題を解決するための手段】
請求項１に係る電池ホルダは、内部に電池を収容可能なホルダ部材であって、一端が開口され、他端部内に電池で駆動される出力手段が設けられたホルダ部材と、前記ホルダ部材の一端開口部を閉鎖する有底円筒状のキャップ部材であって、奥端面の中央部に突出部が形成されたキャップ部材と、前記キャップ部材に取付けられたキャップ側接触片であって、突出部に外嵌合可能な嵌合孔を有する円板状の着座部と、着座部の略中央部に突出状に形成され電池の一方の電極に当接可能な接触部とを有するキャップ側接触片と、前記ホルダ部材の内壁面に沿って軸方向向きに設けられ、一端がホルダ部材の一端部付近に配置され、他端が出力手段の一方の端子に電気的に接続され、ホルダ部材にキャップ部材を取付けた状態で、一端が着座部に当接するホルダ側接触片と、一端が出力手段の他方の端子に直接固定されて電気的に接続され、他端が電池の他方の電極に当接可能に配置され、ホルダ部材にキャップ部材を取付けた状態で、電池の他方の電極に圧接されるとともに、電池の一方の電極をキャップ側接触片の接触部に圧接させるスプリング端子とを備えたものである。
【０００６】
ここで、請求項２に係る電池ホルダのように、前記突出部をキャップ部材の奥端面の中央部に形成し、前記着座部の中央部に嵌合孔を形成して着座部を環状に形成し、前記嵌合孔を横断するように接触部を形成して、キャップ側接触片をキャップ部材に組付けた状態で、突出部の先端の前側に接触部が延設されるように構成してもよいし、請求項３に係る電池ホルダのように、前記着座部の嵌合孔に臨む部分に、中心側へ向けて突出して突出部に係合する係合突部を形成してもよいし、請求項４に係る電池ホルダのように、前記突出部の先端の前側を跨いで接触部を設け、接触部の両側へ露出した突出部の一部を溶かして形成した偏平部を介して、キャップ側接触片をキャップ部材に固定してもよい。
【０００７】
【作用】
本発明に係る電池ホルダにおいては、ホルダ部材の他端部内に設けられた出力手段の一方の端子が、ホルダ側接触片を介して電池の一方の電極に圧接されたキャップ側接触片に接続され、出力手段の他方の端子がスプリング端子を介して電池の他方の電極に接続されることで、出力手段が通電されることになる。
この電池ホルダにおいて、キャップ側接触片は、嵌合孔にキャップ部材の奥端面に形成された突出部を挿通させることで、キャップ部材に対して位置決めされ、接着剤などを介して着座部をキャップ側接触片の奥端面に固定したり、着座部の嵌合孔に臨む部分に中心側へ向けて突出した係合突部を形成し、この係合突部を突出部に係合させたり、突出部を溶かして偏平部を形成し、この偏平部を着座部に係合させたりすることで、キャップ部材に対して位置決め固定される。
【０００８】
また、ホルダ側接触片は、出力部材の一方の端子に接続されており、また、スプリング端子は出力手段の他方の端子に直接固定されており、ホルダ側接触片及びスプリング端子は、予め出力手段に固定した状態で、出力手段とともにホルダ部材に組付けられる。
このように、キャップ側接触片とホルダ側接触片とスプリング端子の３つの部材で出力手段への給電回路を構成することが可能となり、キャップ部材内にスプリング端子を固定する場合と比較して、部品点数を低減出来るとともに、これら３つの部材の組付性を向上することが可能となる。
【０００９】
【実施例】
以下、本考案の実施例について図面を参照しながら説明する。
本実施例は、携帯用電動歯間ブラシに本考案を適用した場合のものである。
図１に示すように、携帯用電動歯間清掃ブラシ１は、液密電池ホルダ（これが電池ホルダに相当する）２に振動発生手段（これが出力手段に相当する）３及び電池４を内装した本体装置５と、本体装置５の左端部に着脱可能に取付けられる口腔内衛生具としての歯間清掃ブラシ６とを備えている。但し、前記歯間清掃ブラシ６に代えて後述する替え歯ブラシ７０や歯肉の乳頭マッサージ具７１や歯肉マッサージ具７２やフロスユニット７３などの口腔内衛生具を本体装置５に取付けてもよい。
【００１０】
前記液密電池ホルダ２は、振動発生手段３及び電池４を収容する略円筒状のホルダ部材１０と、ホルダ部材１０に着脱可能に取付けられるキャップ部材２０と、振動発生手段３への給電回路を構成する配線手段３０とを備えている。尚、前記ホルダ部材１０及びキャップ部材２０は絶縁性を有する合成樹脂材料で構成されている。
【００１１】
前記ホルダ部材１０は、図１、図２に示すように、左端近傍部が閉鎖された有底円筒状の部材で、ホルダ部材１０の左端部には歯間清掃ブラシ６を着脱可能に保持するための保持部４０が形成され、ホルダ部材１０の右端部には小径部１１が形成され、小径部１１の右部には雄螺子部１２が形成され、小径部１１の左端近傍部には環状のリング装着溝１３が形成され、リング装着溝１３にはシールリング１４が装着されている。
【００１２】
前記キャップ部材２０は、図１〜図３に示すように、右端が閉鎖された略円筒状の部材で、キャップ部材２０の左部の内壁面には雄螺子部１２に螺合する雌螺子部２１が形成され、キャップ部材２０の左端部には内径が雌螺子部２１よりも大径のシール部２２が形成され、シール部２２の内周面にはシールリング１４の外周面が液密状に圧接されるシール面２３が形成され、キャップ部材２０の右部にはキャップ部材２０を回転操作するための把持部２４が形成され、キャップ部材２０の右半部の内周面は雌螺子部２１よりも小径に構成されて雌螺子部２１の境界部分に段部２５が形成され、キャップ部材２０の奥端面の略中央部には左方へ突出状に延びる略円柱状の突出部２６が形成されている。尚、前記シールリング１４は、キャップ部材２０とホルダ部材１０間の摩擦抵抗を軽減するために、その硬度を軟らか目（硬度５０前後）に設定したり、その表面にテフロンなどの低摩擦剤をコーティングしてもよい。
【００１３】
前記振動発生手段３は、図１に示すように、ホルダ部材１０の左端近傍部に内装された電動モータ７と、電動モータ７の左方へ突出状に延びる回転軸７ａに固定された偏心錘８とを備え、偏心錘８の遠心力をホルダ部材１０に作用させて歯間清掃ブラシ６を振動させるものである。
【００１４】
前記配線手段３０について説明すると、図１〜図３に示すように、電動モータ７の右端部には電池４の正極に当接するスプリング端子３１が設けられ、スプリング端子３１の左端部は電動モータ７の一方の端子に接続され、ホルダ部材１０の内壁部には左右方向に延びる溝部３２が形成され、溝部３２内には電動モータ７の他方の端子に接続された帯板状のホルダ側接触片３３が装着され、ホルダ側接触片３３の右端部はホルダ部材１０の左端部に係止されている。
【００１５】
前記キャップ部材２０内には、中央部に嵌合孔３４ａが形成された環状の着座部３４ｂと、嵌合孔３４ａを横断して設けられるとともに左方へ突出状に形成された帯板状の接触部３４ｃとからなるキャップ側接触片３４が設けられ、キャップ側接触片３４は着座部３４ｂの右端面の外周縁部を段部２５の左端面に当接させて左右方向に位置決めされるとともに、突出部２６の左端部が嵌合孔３４ａに挿入されて半径方向に位置決めされ、接触部３４ｃの両側へ露出した突出部２６の部分を溶かして偏平部２６ａを形成し、この偏平部２６ａを着座部３４ｂに係合させることでキャップ部材２０に固定され、着座部３４ｂの外周縁部はホルダ側接触片３３の右端部に当接可能に配置され、接触部３４ｃは電池４の負極に当接可能に配置されている。
【００１６】
前記ホルダ側接触片３３とキャップ側接触片３４とで給電回路のスイッチの接触子が構成され、図４に示すように、ホルダ側接触片３３の右端面とシールリング１４の中心間の距離Ｌ１は、キャップ側接触片３４の着座部３４ｂの左端面とシール部２２の左端部間の距離Ｌ２よりも小さく設定され、キャップ部材２０をホルダ部材１０に螺じ込んで、シールリング１４がシール部２２に内嵌されてその外周面がシール面２３に圧接された状態で、ホルダ側接触片３３とキャップ側接触片３４とは隙間Ｌ３を隔てて配置され、図５に示すように、キャップ部材２０をホルダ部材１０に更に螺じ込むことで、キャップ側接触片３４がホルダ側接触片３３に圧接されて給電回路が閉じられ、電動モータ７が回転駆動される。
【００１７】
ここで、前記キャップ部材２０を回転操作してキャップ側接触片３４とホルダ側接触片３３とを接触・離間させるのに必要な操作角度、つまり、給電回路をＯＮ／ＯＦＦ切り換えるのに必要な操作角度は、モニターテストの結果、９０°〜１５０°であることが判り、隙間Ｌ３は両螺子部のピッチに１５０°／３６０°を乗じた数値よりも大きく、好ましくは操作角度を３６０〜４５０°以上に設定した場合の数値以上に設定されている。即ち、Ｌ３＋Ｌ１がＬ２を越えない範囲で、Ｌ３をできるだけ大きく設定することによって、シール効果の範囲を広げることが出来る。
【００１８】
前記保持部４０は、図６、図７に示すように、ホルダ部材１０の左端部を閉鎖するようにホルダ部材１０に一体的に形成された有底円筒状の部材で、左端側程縮小するコーン状に形成され、保持部４０の左部には１対の第１スリット４１と１対の第２スリット４２とが円周４等分位置に交互に形成され、第１スリット４１は保持部４０の左端からその奥端面付近まで形成され、第２スリット４２は保持部の左端から保持部４０の途中部まで形成され、保持部４０の左部には両スリット４１、４２により４つの保持爪４３が形成されている。但し、前記両スリット４１、４２は前記以外の個数形成してもよい。
【００１９】
前記歯間清掃ブラシ６は、図１に示すように、保持部４０に着脱可能に取付けられる合成樹脂材料や合成ゴム材料や金属材料などからなる軸部６ａと、軸部６ａから左方へ延びる歯間清掃用の植毛部６ｂとを備え、植毛部６ｂは鋼線に合成樹脂フィラメントを植設したもので、この鋼線の右端部を軸部６ａの左端部に埋設して軸部６ａに固定されている。
【００２０】
前記保持部４０においては、その肉厚さが奥端面側に行くにしたがって厚肉に構成してあり、しかも、第２スリット４２を保持部４０の途中部までしか形成していないので、４つの保持爪４３の基端部における強度を十分に確保することが可能となる。また、第１スリット４１及び第２スリット４２を形成してあるので、保持爪４３の先端は、素材の弾性力により径方向へ比較的大きく拡縮することが可能になる。このため、軸部６ａの成形精度に比較的大きなバラツキがあっても、軸部６ａを強固に保持することが可能となり、歯間清掃ブラシ６の脱落を効果的に防止出来る。更に、第１スリット４１を保持部４０の奥端面付近まで形成してあるので、保持部４０の奥端部に詰まった歯磨き粉等の清掃が容易になる。
【００２１】
ここで、図７に示すように、前記保持爪４３の左端近傍部の内面に部分環状の係合突部４４を形成し、軸部６ａの途中部に係合突部４４に係合する環状溝６ｃを形成してもよい。この場合には、係合突部４４と環状溝６ｃとの係合により、保持部４０に固定した歯間清掃ブラシ６の脱落が効果的に防止され、硬質の合成樹脂材料や金属材料で軸部６ａを形成した場合でも、歯間清掃ブラシ６の脱落が防止される。尚、軸部６ａをエストラマーやゴム材料で構成する場合には、環状溝６ｃを省略し、軸部６ａの外周部に係合突部４４を食い込ませて、歯間清掃ブラシ６の脱落を効果的に防止することが可能となる。
【００２２】
また、図７に示すように、軸部６ａの基端部に第１スリット４１又は第２スリット４２に係合可能な突条６ｄを突出状に設けてもよい。この場合には、歯間清掃ブラシ６を保持部４０に対して回転規制した状態で取付けることが可能となり、歯間清掃ブラシ６の操作性が向上する。尚、前記突条６ｄに代えて、突起を設けてもよい。
【００２３】
次に、前記電動歯間清掃ブラシ１の作用について説明する。
ホルダ部材１０に対してキャップ部材２０を螺合させると、先ず、図４に示すように、シールリング１４がシール面２３に圧接されてホルダ部材１０内が液密状にシールされ、更にキャップ部材２０を所定角度螺じ込むと、図５に示すように、ホルダ部材１０内が液密状にシールされた状態で、キャップ側接触片３４がホルダ側接触片３３に圧接されて給電回路が閉じられ、電動モータ７が回転駆動されて歯間清掃ブラシ６に振動が付与される。
【００２４】
一方、キャップ部材２０を逆方向に９０°〜１５０°回転操作すると、図２に示すように、キャップ側接触片３４がホルダ側接触片３３から離間し、電動モータ７が停止する。この時、シールリング１４はシール面２３に圧接した状態に保持されており、ホルダ部材１０内は液密状態に保持される。しかも、この状態において、キャップ部材２０は、シールリング１４がシール面２３に圧接されることによりその回転が規制され、不用意に回転して電動モータ７が駆動されたり、キャップ部材２０が脱落したりすることが防止される。そして、次回からは、図５に示す状態と図２に示す状態とにキャップ部材２０を回転操作して切り換えて、給電回路をＯＮ／ＯＦＦ切換えることになる。
【００２５】
このように、電動モータ７への通電をＯＮ／ＯＦＦ切換えるキャップ部材２０の操作範囲内において、シールリング１４によりキャップ部材２０とホルダ部材１０間がシールされているので、ホルダ部材１０内を常時液密状態に保持することが可能となる。しかも、電動歯間清掃ブラシ１の使用時に、キャップ部材２０が緩んでキャップ部材２０とホルダ部材１０間が確実にシールされていない場合でも、電動モータ７を駆動するためには、図５に示すように、キャップ部材２０を回転操作する必要があり、これによりキャップ部材２０とホルダ部材１０間がシールされるので、使用中におけるホルダ部材１０内への水等の侵入を確実に防止することが可能となる。また、キャップ部材２０が緩んだ状態において、水洗い等がなされたとしても、その緩み方がシールリング１４のシール効果が得られる範囲内の緩みならば確実に水等の侵入を防止することが可能となる。
【００２６】
前記ホルダ側接触片３３に対してキャップ側接触片３４を接触・離間させることで、電動モータ７への通電をＯＮ／ＯＦＦ切換えすることが可能なので、給電回路のスイッチ構造を簡略化出来るとともにそのシール構造も簡略化出来、本体装置５の構成を大幅に簡単化することが可能となる。
【００２７】
前記スプリング端子３１とキャップ側接触片３４とホルダ側接触片３３の３つの部材で給電回路を構成出来るので、スプリング端子をキャップ部材内に設ける場合と比較して、部品点数を低減でき、キャップ部材２０を成形する金型構造も大幅に簡単化できる。また、スプリング端子３１及びホルダ側接触片３３は、ハンダ付けなどにより電動モータ７の端子に夫々容易に固定出来、またキャップ側接触片３４も、接触部３４ｃの両側へ露出する突出部２６の部分を溶かして偏平部２６ａを形成することで容易に組付けることが可能なので、給電回路を構成する３つの部材の組付性を大幅に向上出来る。
【００２８】
また、シールリング１４により雌螺子部２１と雄螺子部１２の噛合部分への歯磨き水等の侵入を確実に防止することが可能となり、両螺子部１２、２１の噛合部分で歯磨き水が硬化して、キャップ部材２０の回転操作が困難になるという不具合を防止出来る。
【００２９】
尚、本実施例では、キャップ部材２０の回転操作により給電回路をＯＮ／ＯＦＦ切換えるように構成したが、給電回路に別途スイッチを設け、このスイッチの操作により給電回路をＯＮ／ＯＦＦ切換えるように構成してもよい。
【００３０】
また、図８に示すように、前記雄螺子部１２と雌螺子部２１間に遊びＧを設け、キャップ部材２０を電動モータ７への通電直前位置まで螺じ込んだ状態にし、キャップ部材２０を押し操作することで、雄螺子部１２と雌螺子部２１間の遊びＧを介してキャップ側接触片３４をホルダ側接触片３３に接触させて給電回路を閉じ、キャップ部材２０の押し操作を中断することで、スプリング端子３１のバネ力でキャップ部材２０を元の位置に復帰させて、キャップ側接触片３４をホルダ側接触片３３から離間させ、給電回路を開いた状態にしてもよい。
【００３１】
更に、図９に示すように、キャップ部材２０の右半部を省略したキャップ部材２０Ａを設け、このキャップ部材２０Ａの奥端面に突出部２６Ａを形成し、着座部３４ｂをキャップ部材２０Ａの奥端面に接触させた状態でキャップ側接触片３４を固定してもよい。
【００３２】
次に、前記液密電池ホルダ２の構成を部分的に変更した別実施例について説明する。尚、前記実施例と同一部材には同一符号を付してその詳細な説明を省略する。
この液密電池ホルダ２Ｂは、図１０に示すように、ホルダ部材１０Ｂに雌螺子部５０を形成し、キャップ部材２０Ｂに雄螺子部５５を形成したものであり、次のように構成されている。
前記ホルダ部材１０Ｂの右端近傍部には雌螺子部５０が設けられ、ホルダ部材１０Ｂの右端部には内径が雌螺子部５０よりも小径のシール部５１が形成され、シール部５１の内周面にはシール面５２が形成されている。
【００３３】
前記キャップ部材２０Ｂの左部には雌螺子部５０に螺合する雄螺子部５５が形成され、キャップ部材２０Ｂの右部には把持部５６が形成され、雄螺子部５５と把持部５６間には雄螺子部５５よりも大径の取付部５７が形成され、取付部５７にはシール面５２に液密状に内嵌可能なシールリング５８が装着され、キャップ部材の奥端面には略円柱状の突出部５９が左方へ向けて突出状に形成されている。
【００３４】
前記ホルダ側接触片３３は、雌螺子部５０付近まで右方へ延設されて右端部が内側へ屈曲され、キャップ側接触片３４は雄螺子部５５の左側に固定され、キャップ部材２０Ｂをホルダ部材１０Ｂに螺じ込んで、シールリング５８がシール部５１に内嵌されてその外周面がシール面５２に圧接された状態で、ホルダ部材２０Ｂ内が液密状に閉鎖され、キャップ部材２０Ａを更に螺じ込むことで、キャップ側接触片３４がホルダ側接触片３３に圧接されて給電回路が閉じられるように構成されている。
【００３５】
次に、前記キャップ側接触片３４の構成を部分的に変更した変形例について説明する。
図１１に示すように、着座部３４ｂに嵌合孔３４ａの内側へ向けて突出した複数の係合突部６０を形成したキャップ側接触片３４Ａを用い、着座部３４ｂを突出部２６、２６Ａ、５９に装着するときに係合突部６０を突出部２６、２６Ａ、５９の外周面に係合させて、キャップ側接触片３４Ａをキャップ部材２０、２０Ａ、２０Ｂに固定してもよい。
また、図１２に示すように、接触部３４ｃを片持ち状に形成したキャップ側接触片３４Ｂを用いてもよい。
【００３６】
更に、図１３に示すように、有底円筒状の接触部６１を設け、接触部６１の基端部付近に内側へ突出した環状の係止突部６２を形成したキャップ側接触片３４Ｃを用い、突出部２６、２６Ａ、５９の先端近傍部に係止突部６２に係合する環状溝（図示略）を形成し、この環状溝に係止突部６２を係合させて、キャップ側接触片３４Ｃをキャップ部材２０、２０Ａ、２０Ｂに固定してもよい。
【００３７】
尚、前記突出部２６、２６Ａ、５９を溶かさないで、ホットメルトなどの接着材でキャップ側接触片３４、３４Ａ〜３４Ｃをキャップ部材２０、２０Ａ、２０Ｂに固定してもよい。
【００３８】
次に、前記保持部４０に着脱可能に取付けることが可能な、歯間清掃ブラシ６以外の口腔内衛生具について説明する。
前記口腔内衛生具として、図１４に示すように、軸部６ａの先端部に植毛台７０ａを形成し、この植毛台７０ａに複数の毛束７０ｂを植設した歯ブラシ７０を用いてもよい。
また、前記口腔内衛生具として、図１５に示すように、軸部６ａの先端部に環状の頭部７１ａを形成し、この頭部７１ａに先端が尖ったゴム部材７１ｂを取付けた歯肉の乳頭マッサジ具７１を用いてもよい。
【００３９】
更に、前記口腔内衛生具として、図１６に示すように、軸部６ａの先端部に袋状のゴム部材７２ａを装着し、このゴム部材７２ａの上面に複数の突起７２ｂを形成した歯肉マッサージ具７２を用いてもよい。
更にまた、前記口腔内衛生具として、図１７に示すように、軸部６ａの先端部に１対のアーム部７３ａを形成し、両アーム部７３ａの先端部間にデンタルフロス７３ｂが張設した、フロスユニット７３を用いてもよい。
【００４０】
次に、前記振動発生手段３による歯間清掃ブラシ６の振動形態について説明する。
この振動発生手段３は、偏心錘８を回転させることで振動を発生させるもので、図１８に示すように、軸部６ａの軸心と同軸状に植毛部６ｂの鋼線を配置させた場合には、図１９に示すように、植毛部６ｂの先端は直径（振幅）Ｒ１の円周上に沿って、右回り或いは左回りに回転することになる。このように、植毛部６ｂを軸部６ａと同軸状に配置した場合には、植毛部６ｂを歯間に挿入して加振したときには、主に歯間周辺部分が清掃されることになる。また、加振状態で植毛部６ｂを軸芯方向へ前後移動させると、清掃効果を一層高めることが可能となる。
【００４１】
また、図２０に示すように、植毛部６ｂの鋼線を基端部から約９０°屈曲させた場合には、図２１に示すように、植毛部６ｂの先端は直径（振幅）Ｒ２の円周上に沿って、右回り或いは左回りに回転することになる。このように、植毛部６ｂを屈曲させた場合には、植毛部６ｂが歯間を進退して、主に歯間が清掃されることになる。
【００４２】
更に、前記振動発生手段３においては、ホルダ部材１０を介して歯間清掃ブラシ６に振動を作用させるので、ホルダ部材１０の保持位置により、植毛部６ｂの先端部の振幅Ｒ１、Ｒ２及び回転数（振動数）を調整することが可能となる。
つまり、図２２に示すよう、ホルダ部材１０の保持位置を先端側へ移動させる程、振幅を拘束する作用がはたらき、振幅及び回転数は小さくなるので、強くブラッシングしたい場合には、ホルダ部材１０の後端部側を保持し、弱くブラッシングしたい場合には、ホルダ部材１０の先端部側を保持することで、ブラッシング力を調整することが可能となることが判る。
【００４３】
尚、本実施例では、携帯用電動歯間清掃ブラシ１の液密電池ホルダ２に本発明を適用したが、液密でない電池ホルダに対しても本発明を適用出来るし、電動歯間清掃ブラシ１以外の懐中電灯などの電池ホルダに対しても本発明を適用出来る。
【００４４】
【発明の効果】
請求項１に係る電池ホルダによれば、キャップ側接触片とホルダ側接触片とスプリング端子の３つの部材で出力手段への給電回路を構成することが可能となり、キャップ部材内にスプリング端子を固定する場合と比較して、部品点数を低減出来るとともに、これら３つの部材の組付性を向上出来ること、キャップ部材の奥端面には突出部を形成するだけでよいので、キャップ部材を成形するための金型構造を簡単化出来ること、などの効果が得られる。
請求項２に係る電池ホルダによれば、１回のプレス成形により接触部と嵌合孔を形成することが可能となること、接触部を突出部の先端部に当接させることで、接触部の変形を効果的に防止出来ること、などの効果が得られる。
【００４５】
請求項３に係る電池ホルダによれば、着座部の嵌合孔に臨む部分に、中心側へ向けて突出して突出部に係合する係合突部を形成してあるので、嵌合孔に突出部を圧入させて係合突部を突出部の周壁に係合させることで、キャップ部材に対してキャップ側接触片を容易に固定することが可能となる。
請求項４に係る電池ホルダによれば、突出部の先端の前側を跨いで接触部を設け、接触部の両側へ露出した突出部の一部を溶かして形成した偏平部を介して、キャップ側接触片をキャップ部材に固定するので、キャップ部材に対してキャップ側接触片を容易に且つ確実に固定することが可能となる。
【図面の簡単な説明】
【図１】  電動歯間清掃ブラシの縦断面図
【図２】  電動歯間清掃ブラシの要部縦断面図
【図３】  図２のIII-III 線断面図
【図４】  シール開始位置における図２相当図
【図５】  給電回路をＯＮ状態に操作したときにおける図２相当図
【図６】  保持部付近の斜視図
【図７】  保持部及び軸部の変形例を示す保持部付近の縦断面図
【図８】  雄螺子部及び雌螺子部の変形例を示す要部縦断面図
【図９】  キャップ部材の変形例を示す図２相当図
【図１０】  別実施例に係る液密電池ホルダの図２相当図
【図１１】  キャップ側接触片の第１変形例を示す斜視図
【図１２】  キャップ側接触片の第２変形例を示す斜視図
【図１３】  キャップ側接触片の第３変形例を示す斜視図
【図１４】  口腔内衛生具としての歯ブラシの斜視図
【図１５】  口腔内衛生具としての乳頭マッサージ具の斜視図
【図１６】  口腔内衛生具としての歯肉マッサージ具の斜視図
【図１７】  口腔内衛生具としてのフロスユニットの斜視図
【図１８】  歯間清掃ブラシの振動形態の説明図
【図１９】  図１８のＡ矢視図
【図２０】  曲げた状態での歯間清掃ブラシの振動形態の説明図
【図２１】  図２０のＢ矢視図
【図２２】  保持位置と振動数の関係などを示す説明図
【符号の説明】
１      携帯用電動歯間清掃ブラシ      ２９Ａ  キャップ部材
２      液密電池ホルダ                ２６Ａ  突出部
３      振動発生手段                  ２Ｂ    液密電池ホルダ
４      電池                          １０Ｂ  ホルダ部材
５      本体装置                      ２０Ｂ  キャップ部材
６      歯間清掃ブラシ                ５０    雌螺子部
６ａ    軸部                          ５１    シール部
６ｂ    植毛部                        ５２    シール面
６ｃ    環状溝                        ５５    雄螺子部
６ｄ    突条                          ５６    把持部
７      電動モータ                    ５７    取付部
７ａ    回転軸                        ５８    シールリング
８      偏心錘                        ５９    突出部
１０    ホルダ部材                    ３４Ａ  キャップ側接触片
１１    小径部                        ６０    係合突部
１２    雄螺子部                      ３４Ｂ  キャップ側接触片
１３    リング装着溝                  ３４Ｃ  キャップ側接触片
１４    シールリング                  ６１    接触部
２０    キャップ部材                  ６２    係止突部
２１    雌螺子部                      ７０    歯ブラシ
２２    シール部                      ７０ａ  植毛台
２３    シール面                      ７０ｂ  毛束
２４    把持部                        ７１    乳頭マッサジ具
２５    段部                          ７１ａ  頭部
２６    突出部                        ７１ｂ  ゴム部材
２６ａ  偏平部                        ７２    歯肉マッサージ具
３０    配線手段                      ７２ａ  ゴム部材
３１    スプリング端子                ７２ｂ  突起
３２    溝部                          ７３    フロスユニット
３３    ホルダ側接触片                ７３ａ  アーム部
３４ａ  嵌合孔                        ７３ｂ  デンタルフロス
３４ｂ  着座部
３４ｃ  接触部
３４    キャップ側接触片
４０    保持部
４１    第１スリット
４２    第２スリット
４３    保持爪
４４    係合突部
【図１】
0003635680.tif 000002
【図２】
0003635680.tif 000003
【図３】
0003635680.tif 000004
【図４】
0003635680.tif 000005
【図５】
0003635680.tif 000006
【図６】
0003635680.tif 000007
【図７】
0003635680.tif 000008
【図８】
0003635680.tif 000009
【図９】
0003635680.tif 000010
【図１０】
0003635680.tif 000011
【図１１】
0003635680.tif 000012
【図１２】
0003635680.tif 000013
【図１３】
0003635680.tif 000014
【図１４】
0003635680.tif 000015
【図１５】
0003635680.tif 000016
【図１６】
0003635680.tif 000017
【図１７】
0003635680.tif 000018
【図１８】
0003635680.tif 000019
【図１９】
0003635680.tif 000020
【図２０】
0003635680.tif 000021
【図２１】
0003635680.tif 000022
【図２２】
0003635680.tif 000023